(57)【要約】【課題】取り付け作業の手間のかからない転倒防止支柱を提供する。【解決手段】地面に設けられた杭と立設するフェンスとを連結して当該フェンスの転倒を防止する転倒防止支柱１であって、伸縮自在な支柱３と、前記支柱３の上端部に配置され、前記フェンスに取り付ける取付部６と、前記支柱３の下端部に配置され、前記杭に取り付ける足部２とを備え、前記支柱３は、パイプ状の外側棒３ａと、一部が前記外側棒３ａ内に挿入され軸方向にスライド自在の内側棒３ｂとを有し、前記内側棒３ｂまたは前記外側棒３ａに、当該内側棒３ｂと外側棒３ａが相対的にスライドできないように固定する固定状態と、当該内側棒３ｂと外側棒３ａが相対的にスライドできるように前記固定を解除する解除状態とに切り替える切替手段を有する転倒防止支柱１。【選択図】図１
2018168608.tif 000002
【特許請求の範囲】
【請求項１】
地面に設けられた杭と立設するフェンスとを連結して当該フェンスの転倒を防止する転倒防止支柱であって、
伸縮自在な支柱と、
前記支柱の上端部に配置され、前記フェンスに取り付ける取付部と、
前記支柱の下端部に配置され、前記杭に取り付ける足部とを備えた
転倒防止支柱。
【請求項２】
前記支柱は、パイプ状の外側棒と、一部が前記外側棒内に挿入され軸方向にスライド自在の内側棒とを有し、
前記内側棒または前記外側棒に、当該内側棒と外側棒が相対的にスライドできないように固定する固定状態と、当該内側棒と外側棒が相対的にスライドできるように前記固定を解除する解除状態とに切り替える切替手段を有する
請求項１記載の転倒防止支柱。
【請求項３】
前記切替手段は、前記外側棒内に挿入された前記内側棒の一部に配置され前記外側棒の径方向に向けて膨出し当該外側棒の内面を押圧する押圧体と、前記押圧体を前記径方向に変形させる変形手段とを備えた
請求項２記載の転倒防止支柱。
【請求項４】
前記押圧体は、弾力性のある素材で形成され、
前記変形手段は、前記押圧体を前記内側棒の軸方向に所定の幅に縮小させる
請求項３記載の転倒防止支柱。
【請求項５】
前記外側棒は、前記内側棒が挿入される側の端部に、前記端部を縮径し前記内側棒の外面を締め付ける締付固定手段を備えた
請求項２から４の何れかに記載の転倒防止支柱。
【請求項６】
前記取付部は、前記支柱の長手軸に交差する軸の軸回りに回動する回動手段と、前記回動手段よりも前記支柱と反対側に前記フェンスと連結する連結部材を有する
請求項１から５の何れかに記載の転倒防止支柱。
【請求項７】
前記連結部材は、面ファスナで構成された
請求項６記載の転倒防止支柱。
【請求項８】
前記足部は、前記支柱の長手軸に交差する軸回りに屈曲する板状体で、前記杭を通す貫通孔を有する
請求項６または７に記載の転倒防止支柱。
【請求項９】
前記足部の前記板状体は、前記支柱の長手軸に交差する軸を屈曲軸として曲げ角が３０°以上４０°以下の範囲で屈曲した
請求項８記載の転倒防止支柱。
【発明の詳細な説明】
【技術分野】
【０００１】
この発明は、フェンスなどの転倒を防止するような転倒防止支柱に関する。
【背景技術】
【０００２】
従来から、工事現場や建築現場等で仮設のフェンスが用いられている。このようなフェンスは、適宜のパイプ状の突っ張り棒を用いて。一方をフェンスの支柱に、他方を地面等に固定して転倒防止措置がとられる。
【０００３】
このような転倒防止に用いられるものとして、特許文献１に、パイプ式ターンバックルを改変した本体２を中心に柱Ｃに設けられるホークエンド状部材３およびこのホークエンド状部材３に対応させて基礎Ｂに設けられるホークエンド状部材４とから構成される鉄骨柱建方治具１が開示されている。
【０００４】
しかしながら、ターンバックルは、本来、胴を回転させることで両端に取り付けられたボルトが締め込まれ、あるいは緩められて、張力を調節するためのものである。そのため、大きく伸縮させたい場合には、胴を何回も回転させなければならず、手間がかかるという問題があった。
【０００５】
また、作業現場によっては、転倒防止用の突っ張り棒を、資材搬送車等が通るたびに取り外しては取り付けるといった作業を繰り返すことが行われる。従って、１つの作業に手間がかかると、そのたびに時間を取られてしまうという問題点があった。
【先行技術文献】
【特許文献】
【０００６】
【特許文献１】特開平１１−２１７９３９号公報
【発明の概要】
【発明が解決しようとする課題】
【０００７】
この発明は、上述の問題点に鑑みて、取り付け作業の手間のかからない転倒防止支柱を提供することを目的とする。
【課題を解決するための手段】
【０００８】
この発明は、地面に設けられた杭と立設するフェンスとを連結して当該フェンスの転倒を防止する転倒防止支柱であって、伸縮自在な支柱と、前記支柱の上端部に配置され、前記フェンスに取り付ける取付部と、前記支柱の下端部に配置され、前記杭に取り付ける足部とを備えた転倒防止支柱であることを特徴とする。
【発明の効果】
【０００９】
この発明により、取り付け作業の手間のかからない転倒防止支柱を提供できる。
【図面の簡単な説明】
【００１０】
【図１】転倒防止支柱を示す全体図。
【図２】支柱の詳細を示す図。
【図３】足部と取付部の使用時の様子示す図。
【図４】ガードフェンスの転倒防止に転倒防止支柱を使用する様子を示す図。
【発明を実施するための形態】
【００１１】
以下、この発明の一実施形態を図面と共に説明する。
【実施例１】
【００１２】
＜全体構成＞
図１は、転倒防止支柱１の全体を示す説明図であり、図１（Ａ）は右へ９０°倒した状態の正面図、図１（Ｂ）は右へ９０°倒した状態の右側面図である。
【００１３】
図１に示すように、転倒防止支柱１は、支柱３と、支柱３の上端部（図中では、右端部）に配置された取付部６と、支柱３の下端部（図中では、左端部）に配置された足部２とを備えている。
【００１４】
＜支柱＞
支柱３は、金属素材のパイプ状の外側棒３ａと内側棒３ｂを有している。  
外側棒３ａは、全長が０．５〜１．８ｍで、外径が２．５〜１０．５ｃｍである。内側棒３ｂは、全長が０．５〜１．８ｍで、外径が２〜１０ｃｍである。内側棒３ｂは、その外径が外側棒３ａの内径より僅かに小さい。内側棒３ｂは、下端の伸縮ゴム４３を含む一部が外側棒３ａ内に挿入され、外側棒３ａに対して長手軸方向に自在にスライドでき、また、外側棒３ａに対して長手軸を中心にして回動できる。
【００１５】
内側棒３ｂは、上端部にフェンス（図示せず）に取り付ける取付部６が配置され、中央より取付部６寄りに切替レバー５が設けられている。切替レバー５は、内側棒３ｂが外側棒３ａ内をスライドできないように固定する固定状態と、スライドできるように固定を解除する解除状態とに切り替える切り替え操作に用いられる。  
外側棒３ａは、杭（図示せず）に取り付ける足部２が下端部に配置され、上端部にネジ式ストッパーリング４が取り付けられている。
【００１６】
上述のように、内側棒３ｂ及び外側棒３ａの外径は、作業者が手指で把持できる大きさである。また、内側棒３ｂが外側棒３ａに挿入された安定した状態の支柱３は、全長が約０．８〜３．２ｍであり、フェンスに斜めに立てかけた時に、立って作業を行う作業者の手の届く範囲に取付部６が位置する。。これにより、支柱３を両手の手指で把持した作業者は、運搬及びその後の取り付けの作業がしやすくなっている。
【００１７】
＜取付部＞
取付部６は、金属素材の蝶番であり、内側棒３ｂ（支柱３）の上端部５１の正面側に、蝶番の一方の金属板７１の裏面の一部が溶接されている。蝶番は、支柱３の長手軸に交差する軸の軸回りに回動自在となるように配置されている。蝶番の他方の金属板７３には、フェンスの柱ＦＡ（図４参照）と連結する連結部材７が設けられている。連結部材７は、帯状の面ファスナにより形成され、金属板７３に中央が固定され、柱ＦＡに左右から巻き付けられるように横長に配置されている。
【００１８】
＜足部＞
足部２は、金属素材の略矩形状の板状体が、取付部６の回動軸と平行な軸回りに屈曲し、屈曲部を挟んで足部本体２１と接続部２３とを有している。足部２は、外側棒３ａ（支柱３）の下端部３１の背面側に、接続部２３の表面の一部が溶接されている。足部２は、屈曲部が、支柱３の長手軸に交差し且つ取付部６の蝶番の芯軸に平行に配置されている。足部２は、屈曲部において、外側棒３ａ（支柱３）の表面側に屈曲している。その曲げ角は、３０°以上４０°以下の範囲で屈曲するのが好ましく、３５°がより好ましい。足部本体２１には、杭（図示せず）を通すための貫通孔２２が設けられている。
【００１９】
＜支柱の伸縮固定機構＞
図２は、支柱の詳細を示す説明図であり、図２（Ａ）は９０°右に倒した状態の内側棒３ｂの右側面図、図２（Ｂ）は９０°右に倒した状態の外側棒３ａと内側棒３ｂの右側面図、図２（Ｃ）は外側棒３ａのネジ式ストッパーリング４付近の右側面図である。
【００２０】
内側棒３ｂの内部には、先端が内側棒３ｂの先端４６から突出し、後端が内側棒３ｂの中央付近まで伸びる長手軸方向に長い内シャフト４５が設けられている。内シャフト４５は、内側棒３ｂ内を長手軸方向に前後に摺動することができる。尚、内側棒３ｂの先端４６は、平面状で中央部に内シャフト４５が貫通する貫通孔が設けられている。
【００２１】
内側棒３ｂの先端４６から突出する内シャフト４５の足部２（図１参照）側の先端部には、伸縮ゴム４３が設けられている。伸縮ゴム４３は、ゴム素材で、形状が円筒状で、内径が内シャフト４５の外径より僅かに大きく、外径が外側棒３ａの内径より僅かに小さくなっている。伸縮ゴム４３は、ワッシャ４２を介してネジ止めしているネジ４１と内側棒３ｂの先端４６との間で前後に挟まれている。
【００２２】
尚、伸縮ゴム４３は、円筒状に限るものではなく、例えば、Ｏリング状であってもかまわない。Ｏリング断面円形の外径が外側棒３ａの内面と内シャフト４５の外面との間隔より僅かに小さく、Ｏリングの環の内径が内シャフト４５の外径より僅かに大きければよい。また、伸縮ゴム４３は、一体のものに限るものではなく、例えば、直径が外側棒３ａの内面と内シャフト４５の外面との間隔より僅かに小さい複数の球状体が、外側棒３ａの内面と内シャフト４５の外面とワッシャ４２と内側棒３ｂの先端４６とで囲まれた空間内に充填されるように構成してもよい。また、伸縮ゴム４３は、ゴム素材に限るものではなく、樹脂素材を用いてもよく、また、金属素材を用いたベローズバネや皿ばね等でもよい。
【００２３】
切替レバー５のレバー本体５６は、内シャフト４５の後端部より後端側の内側棒３ｂに設けられている。  
レバー本体５６は、上底が内側棒３ｂの外径より少し長く、下底が上底の約３倍の略等脚台形状の板状体が、上底の両端から下底に下した略垂直な２つの線に沿って同じ方向に略直角に折り曲げられて形成されている。レバー本体５６は、下底がコ字状となり２つの脚が互いに平行に向き合うようになっている。レバー本体５６は、上底側の取っ手部５６ｃを内側棒３ｂの上端側に向けて、コ字状の下底が内側棒３ｂを表面側から包み込むように配置されている。レバー本体５６には、２つの脚と下底とが接するそれぞれの頂点近傍に貫通孔５６ｂが形成されている。内側棒３ｂには、側面に直径方向に貫通する貫通孔に挿入された支軸５７が軸支されている。レバー本体５６は、内側棒３ｂに軸支されている支軸５７に貫通孔５６ｂが嵌め合わされている。これにより、レバー本体５６は、支軸５７を回動軸として回動し、図２（Ｂ）に示す取っ手部５６ｃが内側棒３ｂ表面に当接する状態から、取っ手部５６ｃが内側棒３ｂ表面から離間し、代わって図２（Ａ）に示すコ字状の下底が内側棒３ｂ表面に当接する状態に至るまで姿勢を変えることができる。
【００２４】
レバー本体５６は、内シャフト４５と２本のロッド５４を介して連結されている。２本のロッド５４は、内側棒３ｂを挟んで平行に配置されている。各ロッド５４の一端は、レバー本体５６の貫通孔５６ｂ（支軸５７）から下底に沿って少し離間した箇所に、ヒンジピン５６ａにより固定されている。一方、各ロッド５４の他端は、内シャフト４５の後端部に、同じくヒンジピン５３により固定されている。尚、内側棒３ｂには、貫通孔５６ｂ（支軸５７）より長手軸方向の下端側の側面に、長手軸方向に沿った溝５２が対向して２本形成されている。ヒンジピン５３は、対向する両溝５２に垂直に跨り、その両端部が両溝５２内を摺動可能になっている。
【００２５】
尚、取っ手部５６ｃと貫通孔５６ｂ（支軸５７）の間の長さは、ヒンジピン５６ａと貫通孔５６ｂ（支軸５７）の間の長さより長い方が好ましく、３倍以上長いのがより好ましい。
【００２６】
≪固定動作≫
図２（Ａ）に示すように、レバー本体５６が起こされて、取っ手部５６ｃが内側棒３ｂ表面から離間し、内側棒３ｂ表面にコ字状の下底が当接するような状態にある場合には、伸縮ゴム４３には外部からの力が加えられず、伸縮ゴム４３は自然状態にある。このため、内側棒３ｂは、外側棒３ａ内を長手軸方向に自在に摺動することができる。この状態が固定解除状態に該当する。
【００２７】
固定状態に移行するには、まず、図２（Ｂ）に示すように、取っ手部５６ｃに力を加えて、レバー本体５６を倒し、取っ手部５６ｃを内側棒３ｂの表面に当接させる。これにより、支軸５７を中心としてレバー本体５６が回動する。レバー本体５６の回動に伴って、ヒンジピン５６ａも回動すると共に内側棒３ｂの上端側に引っ張られる。ヒンジピン５３は、ヒンジピン５６ａにより一端が固定されたロッド５４を介して、溝５２内を内側棒３ｂの上端側に摺動する。そして、内シャフト４５は、後端部に固定されたヒンジピン５３によって引っ張られ、内側棒３ｂ内を上端側に摺動する。内側棒３ｂに対して内シャフト４５が相対的に上端側へ摺動することにより、内シャフト４５の先端にネジ４１で固定されたワッシャ４２と内側棒３ｂの先端４６との間の間隔が狭まる。その結果、内シャフト４５の先端部に設けられワッシャ４２と内側棒３ｂの先端４６との間に挟まれた伸縮ゴム４３は、圧縮され長手軸方向の幅が縮小する。長手軸方向の幅が縮小した伸縮ゴム４３は、長手軸方向と垂直な径方向に膨出する。径方向に膨出した伸縮ゴム４３は、膨出先の外側棒３ａの内面に当接し押圧力を加える。こうして、内側棒３ｂに対しては先端４６で当接し外側棒３ａに対しては内面を押圧する長手軸方向の幅が縮小した伸縮ゴム４３を介して、外側棒３ａと内側棒３ｂとは、伸縮ゴム４３の摩擦力により相対的にスライドできないように固定される。この状態が固定状態である。
【００２８】
≪固定解除動作≫
外側棒３ａと内側棒３ｂとの固定を解除するには、図２（Ａ）に示すように、レバー本体５６を操作して、取っ手部５６ｃを内側棒３ｂ表面から離間させ、内側棒３ｂ表面にコ字状の下底が当接するような状態にすればよい。それに伴って、一連の上述の固定動作の逆の動作が行われる。
【００２９】
＜支柱の締付固定機構＞
図２（Ｃ）に示すように、外側棒３ａの内側棒３ｂが挿入される側の上端部には、雄ネジが切られた雄ネジ部３６がある。雄ネジ部３６は、端に向かって徐々に縮径するテーパー仕上げがされている。また、雄ネジ部３６には、側面を径方向に貫通する長手軸方向に沿った細長いスリット３７が設けられている。
【００３０】
図２（Ｄ）〜（Ｆ）は、ネジ式ストッパーリング４の縦断面図であり、図２（Ｇ）、（Ｈ）は、ネジ式ストッパーリング４の右側面図である。ネジ式ストッパーリング４は、内側に雌ネジが切られ、外側棒３ａの雄ネジ部３６に外側から嵌められる。ネジ式ストッパーリング４は、内側に雌ネジ部６５を有するリング本体６４と、２つの締付用取っ手６１と、各締付用取っ手６１をリング本体６４に取り付ける取っ手取付部６３と、取付ピン６２とで構成されている。
【００３１】
取っ手取付部６３は、リング本体６４の外側面の対向する位置に２つ設けられている。各取っ手取付部６３は、隙間を開けて対向する略矩形状の２つの板状体で構成されている。当該板状体の長辺の長さは、リング本体６４の軸方向の長さとほぼ同じである。各取っ手取付部６３は、各板状体の長辺がリング本体６４の軸方向と平行になる向きに配置されている。締付用取っ手６１は、棒状のバーで、一方の端部が各取っ手取付部６３の対向する板状体の隙間に挿入され、対向する板状体に取付ピン６２によりリング本体６４の軸方向に回動自在に固定されている。
【００３２】
図２（Ｅ）、（Ｇ）に示すように、ネジ式ストッパーリング４を締め付ける場合には、各締付用取っ手６１をリング本体６４から立てた状態にする。次に、各締付用取っ手６１を両手指で掴み、リング本体６４を外側棒３ａの雄ネジ部３６に嵌め合わせて回転させていく。当該リング本体６４の回転に伴い、雄ネジ部３６は徐々に縮径される。そして、周囲を雄ネジ部３６で囲まれた内側棒３ｂは、当該雄ネジ部３６で締め付けられ外側棒３ａに固定される。尚、リング本体６４の回転に伴い、スリット３７はその幅が狭まるため、締め付ける力が弱くて済むようになっている。図２（Ｄ）、（Ｈ）に示すように、締め付け固定後は、各締付用取っ手６１は、邪魔にならないように倒しておくことができる。
【００３３】
＜足部の取付機構＞
図３（Ａ）、（Ｂ）は、転倒防止支柱１を使用した時の足部２の様子を示した平面図と縦断面図である。転倒防止支柱１の足部２は、足部本体２１を地面に対してほぼ水平な状態に保持して、足部本体２１に設けられた貫通孔２２に地中に打ち込まれた杭を通している。足部本体２１上には、円筒形の浮き上がり防止ウェイト９が、内面９ａが杭の側面を囲むようにして置かれる。
【００３４】
足部２は、足部本体２１と接続部２３との屈曲部において、曲げ角が３０°以上４０°以下の範囲で外側棒３ａ（支柱３）の表面側に屈曲している。これにより、作業者は、杭に足部２を取り付けるに際して、転倒防止支柱１を地面に対して当該曲げ角で傾けた状態で運搬し、足部本体２１の貫通孔２２を杭の上方に合わせて、そのまま下せば杭に貫通孔２２を通すことができる。そのため、一連の取り付け作業が容易に行える。また、杭を軸中心にして転倒防止支柱１を回動することができるので、足部２を杭に取り付けた後からでも、転倒防止支柱１を所定の方向に据え付けることができる。
【００３５】
＜取付部の取付機構＞
図３（Ｃ）、（Ｄ）は、転倒防止支柱１を使用した時の取付部６の様子を示した平面図と正面図である。取付部６は、２つの金属板７１，７３が回転軸７２で連結された蝶番を有し、一方の金属板７１が内側棒３ｂ（支柱３）の上端部５１に溶接され、他方の金属板７３がフェンスの柱ＦＡと連結する連結部材７を備えている。そして、連結部材７を備えた他方の金属板７３は、支柱３の長手軸に交差する回転軸７２の軸回りに回動自在となっている。このため、フェンスの柱ＦＡに傾きがあっても、当該傾きに合わせて他方の金属板７３を柱ＦＡに沿わせることができ、柱ＦＡとの間でがたつきのないしっかりとした連結が可能となる。尚、支柱３を構成する外側棒３ａと内側棒３ｂとは、相対的に長手軸回りに回動させて固定することができるため、柱ＦＡが前後方向だけでなく左右方向に傾いている場合にも、当該傾きに合わせて他方の金属板７３を柱ＦＡに沿わせることができ、柱ＦＡとの間でがたつきのないしっかりとした連結が可能となる。また、連結部材７には、面ファスナが用いられているため、何度でも簡単にやり直しができ、作業効率が良い。
【００３６】
＜ガードフェンスの転倒防止＞
図４は、複数のガードフェンスＦの転倒防止に転倒防止支柱１を使用する様子を示した図である。隣り合うガードフェンスＦは、それらの隣接する２つの柱ＦＡが転倒防止支柱１の取付部６に設けられた連結部材７を用いて互いに連結されている。そして、この近くに杭Ｓが設けられ、当該転倒防止支柱１は、足部２の貫通孔２２を直近の杭Ｓに通して取り付けられている。こうすることで、複数の柱ＦＡをまとめて１つの面ファスナで固定でき、ガードフェンスＦの転倒防止に使用する転倒防止支柱１の数を減らすことができ、作業効率が良い。
【００３７】
尚、上述のように、内側棒３ｂが外側棒３ａに挿入された安定した状態の支柱３は、全長が約０．８〜３．２ｍである。また、足部２は、屈曲部において、外側棒３ａ（支柱３）の表面側に３０°以上４０°以下の範囲で屈曲している。そのため、取付部６の地面からの高さ位置は、約０．４０〜２．０６ｍとなり、作業者が取付部６の取り付け作業をしやすい高さになっている。
【００３８】
以上の構成と動作により、転倒防止支柱１は、支柱３が伸縮自在で、パイプ状の外側棒３ａと、一部が外側棒３ａ内に挿入され軸方向にスライド自在の内側棒３ｂとを有し、内側棒３ｂまたは外側棒３ａに、内側棒３ｂと外側棒３ａが相対的にスライドできないように固定する固定状態と、内側棒３ｂと外側棒３ａが相対的にスライドできるように固定を解除する解除状態とに切り替える切替手段を有している。このため、スライドできる状態の支柱３を準備して、杭Ｓには足部２を取り付け、フェンスＦには取付部６を取り付けた後、その状態で切替レバー５の操作によりスライドができないようにすれば、支柱３をこの状態で固定することができ、転倒防止が可能となる。このように、転倒防止作業は手間がかからず、簡便に行える。
【００３９】
切替手段は、外側棒３ａ内に挿入された内側棒３ｂの一部に配置され外側棒３ａの径方向に向けて膨出し当該外側棒３ａの内面を押圧する押圧体と、押圧体を変形させる変形手段とを備えている。これにより、切替レバー５の操作により押圧体が変形し、内側棒３ｂの一部と外側棒３ａの内面との間で変形した押圧体が、内側棒３ｂと外側棒３ａとの間の相対的なスライドを押圧力により止めることができる。切替レバー５の操作は倒すか立てるかの操作であり、操作に手間がかからない。また、押圧体による押圧力は、押圧体の変形に起因しており、その変形量の調節は可能である。そのため、押圧力を調節することができる。
【００４０】
変形手段は、押圧体を軸方向に所定の幅に縮小させるものである。すなわち、伸縮ゴム４３（押圧体）を、内シャフト４５の先端部に設けられワッシャ４２と内側棒３ｂの先端４６との間に挟んで、内シャフト４５を後端側に引っ張ることにより、伸縮ゴム４３（押圧体）を、長手軸方向に圧縮しその幅を所定の幅に縮小させるものである。構造が複雑ではなく、作製が容易である。
【００４１】
外側棒３ａは、内側棒３ｂが挿入される側の端部に、端部を縮径し内側棒３ｂの外面を締め付ける締付固定手段を備えている。上述の押圧体による固定手段に加えて、当該締付固定手段も備えているため、内側棒３ｂと外側棒３ａが相対的にスライドできないようにより確実に固定することができる。
【００４２】
連結部材７は、面ファスナであるから、隣り合うフェンスＦの隙間に誤差があっても問題なく固定することができる。
【００４３】
（１）杭Ｓを足部２の貫通孔２２に通して浮き上がり防止ウェイト９を載せ、（２）柱ＦＡに取付部６を面ファスナ７で固定し、（３）切替レバー５を倒して長さ固定するという簡単なステップで固定でき、逆の３ステップで簡単に取り外せるため、トラックの出入り等で着脱を繰り返す場合も迅速かつ容易に着脱できる。
【００４４】
尚、切替手段は、切替レバー５と、伸縮ゴム４３と、ロッド５４と、内シャフト４５と、内シャフト４５にネジ止めされたワッシャ４２と、内側棒３ｂの先端４６とに対応し、
押圧体は、伸縮ゴム４３に対応し、
変形手段は、ロッド５４と、内シャフト４５と、内シャフト４５にネジ止めされたワッシャ４２と、内側棒３ｂの先端４６とに対応し、
締付固定手段は、ネジ式ストッパーリング４に対応するが、
この発明は本実施形態に限られず他の様々な実施形態とすることができる。
【産業上の利用可能性】
【００４５】
この発明は、転倒防止のための器具等の産業に利用することができる。
【符号の説明】
【００４６】
１…転倒防止支柱
２…足部
３…支柱
３ａ…外側棒
３ｂ…内側棒
４…ネジ式ストッパーリング
５…切替レバー
６…取付部
７…連結部材
【図１】
2018168608.tif 000003
【図２】
2018168608.tif 000004
【図３】
2018168608.tif 000005
【図４】
2018168608.tif 000006
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
地面に設けられた杭と立設する仮設のフェンスとを連結して当該フェンスの転倒を防止する転倒防止支柱であって、
伸縮自在な支柱と、
前記支柱の上端部に配置され、前記フェンスに取り付ける取付部と、
前記支柱の下端部に配置され、前記杭に取り付ける足部とを備え、
前記取付部は、前記フェンスと連結する連結部材を有し、
前記足部は、前記支柱の長手軸に交差する軸回りに屈曲する屈曲部を有する板状体で、前記屈曲部を挟んで接続部と足部本体を有し、前記接続部は前記支柱に接続され、前記足部本体は前記杭を通す貫通孔を有する
転倒防止支柱。
【請求項２】
地面に設けられた杭と立設するフェンスとを連結して当該フェンスの転倒を防止する転倒防止支柱であって、
前記フェンスは、転倒防止しなければ転倒し得る仮設のフェンスであり、
伸縮自在な支柱と、
前記支柱の上端部に配置され、前記フェンスに取り付ける取付部と、
前記支柱の下端部に配置され、前記杭に取り付ける足部とを備え、
前記取付部は、前記支柱の長手軸に交差する軸の軸回りに回動する回動手段と、前記回動手段よりも前記支柱と反対側に前記フェンスと連結する連結部材を有し、
前記足部は、前記回動手段の軸と平行な軸回りに屈曲する屈曲部を有する板状体で、前記杭を通す貫通孔を有し、
前記連結部材と前記フェンス、および前記足部と前記杭を簡単なステップで固定でき、逆のステップで簡単に取り外せて、着脱を繰り返す場合も迅速かつ容易に着脱できるようにした
転倒防止支柱。
【請求項３】
地面に設けられた杭と立設する仮設のフェンスとを連結して当該フェンスの転倒を防止する転倒防止支柱であって、
伸縮自在な支柱と、
前記支柱の上端部に配置され、前記フェンスに取り付ける取付部と、
前記支柱の下端部に配置され、前記杭に取り付ける足部とを備え、
前記取付部は、前記支柱の長手軸に交差する軸の軸回りに回動する回動手段と、前記回動手段よりも前記支柱と反対側に前記フェンスの柱と連結する連結部材を有し、
前記連結部材は、複数の前記柱をまとめて固定できる構成である
転倒防止支柱。
【請求項４】
前記支柱は、パイプ状の外側棒と、一部が前記外側棒内に挿入され軸方向にスライド自在の内側棒とを有し、
前記内側棒または前記外側棒に、当該内側棒と外側棒が相対的にスライドできないように固定する固定状態と、当該内側棒と外側棒が相対的にスライドできるように前記固定を解除する解除状態とに切り替える切替手段を有し、
前記切替手段は、前記外側棒内に挿入された前記内側棒の一部に配置され前記外側棒の径方向に向けて膨出し当該外側棒の内面を押圧する押圧体と、前記押圧体を前記径方向に変形させる変形手段とを備え、
前記変形手段は、前記内側棒の側面に直径方向に挿入された支軸に軸支されたレバー本体と、
先端が前記内側棒の先端から突出し、当該先端にワッシャが固定され、前記内側棒の内部に長手軸方向に設けられた内シャフトと、
一端が前記レバー本体の前記支軸から離間した箇所にヒンジピンにより固定され、他端が前記内シャフトの後端にヒンジピンにより固定されたロッドと、
を有し、
前記ワッシャと前記内側棒の先端との間に配置された弾力性のある素材で形成された前記押圧体を前記内側棒の軸方向に所定の幅に縮小させる
請求項１、２、または３記載の転倒防止支柱。
【手続補正２】
【補正対象書類名】明細書
【補正対象項目名】０００８
【補正方法】変更
【補正の内容】
【０００８】
この発明は、地面に設けられた杭と立設する仮設のフェンスとを連結して当該フェンスの転倒を防止する転倒防止支柱であって、伸縮自在な支柱と、前記支柱の上端部に配置され、前記フェンスに取り付ける取付部と、前記支柱の下端部に配置され、前記杭に取り付ける足部とを備え、前記取付部は、前記フェンスと連結する連結部材を有し、前記足部は、前記支柱の長手軸に交差する軸回りに屈曲する屈曲部を有する板状体で、前記屈曲部を挟んで接続部と足部本体を有し、前記接続部は前記支柱に接続され、前記足部本体は前記杭を通す貫通孔を有する転倒防止支柱であることを特徴とする。